(57)【要約】      （修正有）【課題】長段栽培の蔓性植物の茎を、その成長に合わせて誘引紐により誘引するための誘引具を提供する。【解決手段】蔓性植物の栽培列に沿って架設されたワイヤ１に着脱自在に吊り下げられる誘引具本体１２と、誘引具本体１２の下端で枢結して回転することで誘引紐を巻き上げ・繰り出し可能なローラ部１５と、誘引具本体１２に対して上下方向にスライド可能に装着されるストッパ部１１とを備えている。ローラ部１５には、その回転軸方向両端部１５ｃにそれぞれ略円板状の回転部材１５ａを備え、回転部材１５ａは、径方向に長い突出部１５ｄを有し、ストッパ部１１が誘引具本体１２に対して下方にスライドすると突出部１５ｄがストッパ部１１に当接してローラ部１５の繰り出し方向の回転を規制し、ストッパ部１１が誘引具本体１２に対して上方にスライドするとストッパ部１１が突出部１５ｄより上方に移動してローラ部１５の繰り出し方向の回転を規制を解除する。【選択図】図２
0003214642.tif 000002
【実用新案登録請求の範囲】
【請求項１】
長段栽培の蔓性植物の茎を、その成長に合わせて誘引紐により誘引するための誘引具であって、
前記蔓性植物の栽培列の上方で栽培列に沿って架設されたワイヤに着脱自在に吊り下げられる誘引具本体と、
該誘引具本体の下端で誘引具本体に対して枢結して回転することで誘引紐を巻き上げ・繰り出し可能なローラ部と、
前記誘引具本体に対して上下方向にスライド可能に装着されるストッパ部とを備え、
前記ローラ部には、その回転軸方向両端部にそれぞれ略円板状の回転部材を備え、該回転部材は、径方向に長い突出部を有し、
前記ストッパ部が前記誘引具本体に対して下方にスライドすると前記突出部が前記ストッパ部に当接して前記ローラ部の繰り出し方向の回転を規制し、前記ストッパ部が前記誘引具本体に対して上方にスライドすると前記ストッパ部が前記突出部より上方に移動して前記ローラ部の繰り出し方向の回転を規制を解除する構成を有する、誘引具。
【請求項２】
前記誘引具本体の下端は、幅側縁部それぞれの両側から下方に延びる脚部を備え、
該脚部の下端には、前記ローラ部の回転軸の端部を幅方向に挿入可能な貫通孔を有し、該貫通孔は、前記ローラ部の回転軸が枢結されて該ローラ部を回転させる小径孔と、その上方で小径孔の径より大きい幅の大径孔とが連続した一体の開口を形成する、請求項１に記載の誘引具。
【請求項３】
前記誘引具本体及びストッパ部とは樹脂材料で成形され、
前記貫通孔は、前記ローラ部の回転軸の端部を大径孔に挿入した状態で下方に押圧すると該端部が前記小径部にスナップ留めされて該小径部と枢結する、請求項２に記載の誘引具。
【請求項４】
前記誘引具本体は、前記フック部から下方に延びる板状部材と、該板状部材の両端部で上下方向にわたって前後方向に起立する板状の縁部とを備え、該縁部と前記脚部とは連続して一体に形成され、
前記ストッパ部は、前記誘引具本体の縁部に対して上下方向にスライドするように前記誘引具本体を入れ子状に覆う構造を有する、請求項１〜３のいずれか１項に記載の誘引具。
【請求項５】
前記誘引具本体の前記縁部は、前記ストッパ部を下方にスライドさせると該ストッパ部の内壁と当接するまで互いの隙間距離が漸近して小さくなる形状を有する、請求項４に記載の誘引具。
【請求項６】
長段栽培の蔓性植物の茎を、その成長に合わせて誘引紐により誘引するための誘引具本体部であって、
前記蔓性植物の栽培列の上方で栽培列に沿って架設されたワイヤに着脱自在に吊り下げられる誘引具本体と、
前記誘引具本体に対して上下方向にスライド可能に装着されるストッパ部とを備え、
回転軸方向両端部にそれぞれ略円板状の回転部材を備え、該回転部材は、径方向に長い突出部を有したローラ部が、前記誘引具本体の下端に枢結された場合に、前記ストッパ部が前記誘引具本体に対して下方にスライドするとローラ部の突出部が前記ストッパ部に当接して前記ローラ部の繰り出し方向の回転を規制し、前記ストッパ部が前記誘引具本体に対して上方にスライドすると前記ストッパ部がローラ部の突出部より上方に移動してローラ部の繰り出し方向の回転を規制を解除する、誘引具本体部。
【考案の詳細な説明】
【技術分野】
【０００１】
本発明は、長段（長期）栽培のトマトやキュウリなどの蔓性植物の茎や蔓（植物体）を、その成長に合わせて誘引ひもにより誘引するトマト等の長段栽培植物の誘引具及びその誘引具本体部に関する。
【背景技術】
【０００２】
一般に、トマト等の蔓性植物（以下、「トマト」で説明する）の場合、支持体に枝を巻き付け倒れないようにしながら栽培する必要がある。ビニルハウス等の施設では、所定高さごとに水平に張られたワイヤを支持体として、これを多段にして各ワイヤに巻き付けていく長段（長期）栽培が採用されている。この栽培において茎や蔓を誘引紐（誘引線）に固定し、紐の先端を誘引具を介してワイヤから吊り下げることでトマトの成長の向きや株のバランスなどを良くするために誘引が行われる。トマトのような長段（長期）栽培植物では、栽培期間中に何度も蔓下ろし作業が行われ、その都度、誘引が行われる。
【０００３】
トマトの長期栽培においては、トマトの成長に従って培地から伸びた茎を培地から所定高さ位置のワイヤ上を横方向に移動可能に取り付けられた誘引具により茎を上方に誘引し、かつ茎が伸びるに従って培地から離れるように横方向に誘引するようにしている。誘引は、培地の上方に略水平に張設されている誘引紐に移動可能に結合された茎支持部材と、茎支持部材に茎を繋ぐ誘引紐と誘引紐に連結してワイヤから横移動可能に吊り下げる吊り下げ部とで構成された誘引具と、で行われる。また、従来よく利用されている誘引具では、誘引具の下方に予め誘引紐を巻き付けるローラ部を設け、ローラ部で誘引紐を巻き上げることで誘引し、ローラ部を逆回転させ誘引紐を繰り出すこと蔓下しをしていくこととなる。
【０００４】
上記ローラ部を設けた従来式の誘引具の場合、植物の成長に従って茎が伸びるのに応じて、ローラ部を回転させ、誘引紐の長さを長くして誘引紐により茎支持部材に結び付けた茎を結び直したり、吊り下げ部を横に移動させたりする必要があった。
【０００５】
具体的には、例えば図９に示すような誘引具１００の場合、誘引紐２の巻き上げ又は繰り出しを行うローラ部１０２と、下方でローラ部１０２を回転又は固定可能に支持しながら上方でワイヤ１に吊り下げることが可能な吊り下げ部（誘引具本体部）１０４と、で構成されている。吊り下げ部１０４は、一本の金属棒を折り曲げ加工して形成されており、ワイヤ１の２点に引っ掛けるフック部１０４ａと、フック部１０４ａから鉛直方向略平行に延びて下方でローラ部１０２の回転軸１０２ａに巻き付ける支持部１０４ｂと、支持部１０４ｂの一方側が折り曲げられローラ部１０２の外周を横方向全長にわたって延びてローラ部１０２の他方側に設けた突起１０２ｂに当接して上方に延びるロック部１０４ｃと、で構成されている。
【０００６】
通常の栽培状態では、（１）フック部１０４ａが横方向に連結されていること、（２）金属棒の弾性力により支持部１０４ｂがローラ部１０２を回転軸１０２ａの内側方向に挟み込んでいること、（３）ロック部１０４ｃが突起１０４ｂに当接してローラ部１０２の矢印Ｒ方向（誘引紐２の繰り出し方向Ｃ）の回転を規制すること、（４）誘引紐２の張力がフック部１０４ａを介してワイヤ１に作用すること、により誘引具１００がワイヤ１に固定されている。一方、トマトの茎が伸びた場合等、誘引具１００をワイヤ１に沿って横方向（矢印Ａ）に移動させたり、誘引紐２を繰り出したりする（矢印Ｃ）場合には、図９に示すように農作業者の手力でロック部１０４ｃと支持部１０４ｂとを矢印Ｂ方向に挟み込んで、上記（２）の金属棒の弾性力を解放して支持部１０４ｂのローラ部１０２への挟み込みと上記（３）のロック部１０４ｃと突起１０２ｂとの当接とを解放し、支持部１０４ｂに対してローラ部１０２を回転可能とする。この状態にして誘引紐２を繰り出して伸びた茎を茎支持部材に繋いだり、フック部１０２ａをワイヤ１上を横方向に移動させたりしながら誘引紐２の長さ調整を行う。
【先行技術文献】
【特許文献】
【０００７】
【特許文献１】特開２００５−２２９９３３号公報
【特許文献２】特開２００５−３２８８２４号公報
【特許文献３】特開２０００−２０９９５５号公報
【考案の開示】
【考案が解決しようとする課題】
【０００８】
しかしながら、上記誘引具１００の場合、ロック部１０４ｃと支持部１０４ｂとに矢印Ｂ方向に手力を加えながら誘引紐２の繰り出しやフック部１０２ａの横移動を行う作業は、農作業者にとって負担であり、多数のトマト株を有する施設では作業効率が悪く及び作業人数確保の点でも改良が求められていた。
【０００９】
本考案は、以上の事情に鑑みて創作されたものであり、安価かつ簡単な構造でありながら作業性及び耐久性が高い長段栽培植物の誘引具を提供することを目的とする。
【課題を解決するための手段】
【００１０】
上記目的を達成するために本考案は、
長段栽培の蔓性植物の茎を、その成長に合わせて誘引紐により誘引するための誘引具であって、前記蔓性植物の栽培列の上方で栽培列に沿って架設されたワイヤに着脱自在に吊り下げられる誘引具本体と、該誘引具本体の下端で誘引具本体に対して枢結して回転することで誘引紐を巻き上げ・繰り出し可能なローラ部と、前記誘引具本体に対して上下方向にスライド可能に装着されるストッパ部とを備えている。
【００１１】
また、前記ローラ部には、その回転軸方向両端部にそれぞれ略円板状の回転部材を備え、該回転部材は、径方向に長い突出部（突起）を有し、前記ストッパ部が前記誘引具本体に対して下方にスライドすると前記突出部が前記ストッパ部に当接して前記ローラ部の繰り出し方向の回転を規制し、前記ストッパ部が前記誘引具本体に対して上方にスライドすると前記ストッパ部が前記突出部より上方に移動して前記ローラ部の繰り出し方向の回転を規制を解除する構成を有する。
【００１２】
本発明の誘引具によれば、簡単な構造でありながら、従来のように手力で誘引紐を巻き付けたローラ部の回転の規制・解除をする必要がなく、単にストッパ部を誘引具本体に対して上下方向にスライドさせるだけで、ローラ部の回転の規制・解除を行うことができる。したがって、農業作業者の負担を大幅に低減することができ、作業の迅速化も図ることができる。また、従来のようにローラ部の回転の規制・解除を金属棒の弾性力に依存するものではないため、弾性劣化のおそれがなく複数回使用、長期間使用に耐える誘引具として提供され、長段栽培の過程で誘引具の劣化チェックや交換に伴う人的・経費的な負担を低減することができる。
【００１３】
具体的には、前記誘引具本体の下端は、幅側縁部それぞれの両側から下方に延びる脚部を備え、該脚部の下端には、前記ローラ部の回転軸の端部を幅方向に挿入可能な貫通孔を有し、該貫通孔は、前記ローラ部の回転軸が枢結されて該ローラ部を回転させる小径孔と、その上方で小径孔の径より大きい幅の大径孔とが連続した一体の開口を形成する構成が例示される。
【００１４】
また、本誘引具では、前記誘引具本体及びストッパ部とは樹脂材料で成形され、前記貫通孔は、前記ローラ部の回転軸の端部を大径孔に挿入した状態で下方に押圧すると該端部が前記小径部にスナップ留めされて該小径部と枢結することが好ましい。
【００１５】
この誘引具の構成を採用すると、誘引具本体の脚部を拡げて、その貫通孔の大径にローラ部の回転軸を挿入して挟む込み、ローラ部を下方に引き下げて脚部の小径部に入れるだけで誘引具本体に対してローラ部をしっかり固定して回転させることができる。
【００１６】
また、前記誘引具本体は、前記フック部から下方に延びる板状部材と、該板状部材の両端部で上下方向にわたって前後方向に起立する板状の縁部とを備え、該縁部と前記脚部とは連続して一体に形成され、  前記ストッパ部は、前記誘引具本体の縁部に対して上下方向にスライドするように前記誘引具本体を入れ子状に覆う構造を有することができる。
【００１７】
また、前記誘引具本体の前記縁部は、前記ストッパ部を下方にスライドさせると該ストッパ部の内壁と当接するまで互いの隙間距離が漸近して小さくなる形状を有することが好ましい。
【００１８】
上記誘引具の構成によれば、ストッパ部を下方（トマトの自重方向）にスライドさせると誘引具本体の縁部がストッパ部の内壁に当接することでしっかりと固定され、茎が揺れたりしても固定状態が解除されることがなく、一方、蔓下し等のローラ部を回転させたいときにはスライド部を上方に移動させるだけで固定状態を解除することができる点で有利である。
【００１９】
さらに本発明では上記誘引具におけるローラ部以外の誘引具本体部（誘引具本体及びストッパ部）も提供される。具体的には、長段栽培の蔓性植物の茎を、その成長に合わせて誘引紐により誘引するための誘引具の本体部であって、前記蔓性植物の栽培列の上方で栽培列に沿って架設されたワイヤに着脱自在に吊り下げられる誘引具本体と、前記誘引具本体に対して上下方向にスライド可能に装着されるストッパ部とを備え、回転軸方向両端部にそれぞれ略円板状の回転部材を備えている。この回転部材は、径方向に長い突出部を有したローラ部が、前記誘引具本体の下端に枢結された場合に、前記ストッパ部が前記誘引具本体に対して下方にスライドするとローラ部の突出部が前記ストッパ部に当接して前記ローラ部の繰り出し方向の回転を規制し、前記ストッパ部が前記誘引具本体に対して上方にスライドすると前記ストッパ部がローラ部の突出部より上方に移動してローラ部の繰り出し方向の回転を規制を解除する。
【００２０】
本発明の誘引具本体部を用いれば、従来式誘引具のローラ部を代替えて使うこともできるため、既存のローラ式誘引具を設置した栽培列であっても誘引紐を茎に取り付けた状態で誘引具本体を交換するだけで、本誘引具を取り付けた栽培列に変えていくことができ、汎用性が高い点で有利である。
【考案の効果】
【００２１】
本考案によれば、安価かつ簡単な構造でありながら作業性及び耐久性が高い長段栽培植物の誘引具が提供される。
【図面の簡単な説明】
【００２２】
【図１】ワイヤに吊り下げた誘引具を前方左側から見た斜視図である。
【図２】ワイヤに吊り下げた誘引具を後方左側から見た斜視図である。
【図３】ローラ部を取り外した状態の誘引具本体を前方右側から見た斜視図である。
【図４】誘引具本体の前面が上方に向くように回転させた斜視図である。
【図５】ワイヤに吊り下げた誘引具であり、（ａ）が誘引具の左側面図、図５（ｂ）が誘引具の正面図（前面図）を示している。
【図６】ワイヤに吊り下げた誘引具であり、（ａ）が図５（ａ）のラインＡ−Ａ断面図、（ｂ）が図５（ｂ）のラインＢ−Ｂ断面図を示している。
【図７】誘引具本体の分解図であり、（ａ）が左側面図、（ｂ）が正面図、（ｄ）が（ｂ）のラインＡ−Ａ断面図、（ｅ）が底面図、（ｆ）が平面図、（ｇ）が（ｂ）のラインＢ−Ｂ断面図を示している。
【図８】誘引具のストッパ部の分解図であり、（ａ）が左側面図、（ｂ）が正面図、（ｄ）が（ｂ）のラインＡ−Ａ断面図、（ｅ）が底面図、（ｆ）が平面図、（ｇ）が（ｂ）のラインＢ−Ｂ断面図、（ｈ）が右側面図を示している。
【図９】従来型の誘引具の構成、及びその使い方を示す図である。
【考案を実施するための形態】
【００２３】
≪本考案の実施形態の例示≫
本考案の誘引具の実施形態例について図１〜図８を参照しつつ以下、説明する。
【００２４】
図１はワイヤに吊り下げた誘引具を前方左側から見た斜視図であり、図２はワイヤに吊り下げた誘引具を後方左側から見た斜視図である。図３はローラ部を取り外した状態の誘引具本体を前方右側から見た斜視図であり、図４はその誘引具本体の前面が上方に向くように回転させた斜視図である。また、図５〜図６は、ワイヤに吊り下げた誘引具であり、図５（ａ）が誘引具の左側面図、図５（ｂ）が誘引具の正面図（前面図）、図６（ａ）が図５（ａ）のラインＡ−Ａ断面図、図６（ｂ）が図５（ｂ）のラインＢ−Ｂ断面図を示している。
【００２５】
また、図７〜図８は誘引具の分解図として、それぞれ誘引具本体、ストッパ部を示している。詳細には、図７（ａ）が、誘引具本体の左側面図、図７（ｂ）が誘引具本体の正面図（前面図）、図７（ｅ）が誘引具本体の底面図（下方図）、図７（ｆ）が誘引具本体の平面図（上方図）、図７（ｄ）が図７（ｂ）のラインＡ−Ａ断面図、図７（ｇ）が図７（ｂ）のラインＢ−Ｂ断面図を示している。また、図８（ａ）が、ストッパ部の左側面図、図８（ｂ）がストッパ部の正面図（前面図）、図８（ｈ）が、ストッパ部の右側面図、図８（ｅ）がストッパ部の底面図（下方図）、図８（ｆ）がストッパ部の平面図（上方図）、図８（ｄ）が図８（ｂ）のラインＡ−Ａ断面図、図８（ｇ）が図８（ｂ）のラインＢ−Ｂ断面図を示している。なお、図５〜図８の各図に示す（ａ）〜（ｈ）が同一のものは概ね同一方向視を示している。
【００２６】
図１〜図８に示すように誘引具１０は、誘引具本体１２と、ストッパ部１４と、ローラ部１５とで構成されている。誘引具本体１２は、上下方向に延びる板状部材１３と、板状部材１３の上端を折り返してワイヤ１に吊り下げ可能にしたフック部１４とを設けている。フック部１４は中空の筒状部材１４ａとなるように折り返され、その端部１４ｂは下方に向かって拡がって板状部材１２との間に隙間１７を設けている。フック部１４はワイヤ１の上方から引っ掛けることでワイヤ１を隙間１７から筒状部材１４ａの中空空間１８まで案内することで誘引具１０を吊り下げている（図５（ａ）も参照）。これにより誘引具１０は蔓下し時等にワイヤ１に沿って横方向（図１矢印Ａ方向）に移動させることができる。
【００２７】
誘引具本体１２は、フック部１４の下方に板状部材１３が延びている。板状部材１３には材料コスト低減のため１つ又は複数の開口１３ａが設けられている。板状部材１３の幅方向（図１の矢印Ａ方向）両側に沿って前方向（図５の紙面方向）に起立する縁部２０が設けられている。それぞれの縁部２０は板状部材１３の上下方向の略中間位置から前方向に起立し、略同高さで板状部材１３の下端を超えて脚部１６にまで連続する。また、縁部２０は前方向に起立しはじめた位置より下方位置から後方にも徐々に所定高さに到達する形状で起立する（図５（ａ）等参照）。なお、それぞれの縁部２０の前後方向の高さは同一の上下位置の場合は同一である。
【００２８】
本実施形態では図７に示すように、誘引具本体１２の前面側の縁部２０は、誘引具本体１２の上下長さ（フック部１４及び脚部１６の長さを含む）の上側１／３程度から前方に急激に高さが大きくなり、概ねそこから下方全域にわたって同一の高さを有する平坦部２０ａを形成している。また、誘引具本体１２の後面側の縁部２０は、上記前面側の縁部２０よりも下方から緩やかに高さが大きくなる傾斜部２０ｂを有し、所定距離進むとそこから下方全域が同一の高さを有する形状をなしている。なお、図７（ｂ）では、縁部２０下方の前後側とも平坦な部分における前後高さをｗ１としている。
【００２９】
板状部材１３の下端の幅方向両側からは下方に向かって脚部１６が延びている。脚部１６は上記縁部２０の下端が延長された形状になっている。脚部下端１６ａは幅方向（横方向（図１の矢印Ａ方向））に貫通する貫通孔２１を設けている。貫通孔２１は、上から径の大きい大径孔２１ａと径の小さい小径孔２１ｂとが連結して１つの開口をなしている（図７参照）。大径孔２１ａは、後述するローラ部１５の回転軸端部１５ｃが隙間を空けて挿入できるような大きさを有する。また、大径孔２１ａの下方は開放されており、そのまま小径孔２１ｂに繋がっているので大径孔２１ａに挿入された回転軸端部１５ｃを小径孔２１ｂまで下方に移動させることができる。
【００３０】
小径孔２１ｂは大径孔２１ａよりも径が小さく、ローラ部１５の回転軸端部１５ｃが挿入されると隙間なく回転する程度の大きさである。また、大径孔２１ａと小径孔２１ｂとを繋ぐ部分は、それぞれ大径孔２１ａの中心角が鋭角となるその下方の円弧分、小径孔２１ｂの中心角が鋭角となるその上方の円弧分、が開放されて形成されてる狭隘部２１ｃとなっている。したがって、大径孔２１ａに挿入された回転軸端部１５ｃを下方の小径孔２１ｂに移動させるときには狭隘部２１ｃを押し込んで移動させる必要があり、この狭隘部２１ｃにより回転軸端部１５ｃは小径孔２１ｂに所謂スナップ留めされて位置決めされる。これにより回転軸端部１５ｃは脚部下端１６ａで回転可能に枢結されることとなる。大径孔２１ａと小径孔２１ｂの具体的には、図９に示すように従来式誘引具１００で使用されるローラ部１０２の回転軸端部が挿入して使用できる寸法にしている。
【００３１】
次に、ローラ部１５について説明する。
ローラ部１５は、回転軸１５ｂの幅方向（横方向）両側に円板部材１５ａが設けられ、回転軸１５の両端は円板部材１５ａから回転軸端部１５ｃが突出した一体形状の両輪形状である。ローラー部１５は、図９に示す従来型の誘引具１００のローラ部１０２と概ね同一形状であり、図１〜図８では図示しないが、図９と同様に回転軸１５ｂに誘引紐２が巻き付けられる。図２に示す矢印Ｃの方向に回転軸１５が回転すると誘引紐２を繰り出し、逆方向に回転すると誘引紐２が巻き付くようにしている。上述するようにローラ部１５は、誘引具本体１２の両側の脚部１６で円板部材１５ａを挟み込んで回転軸端部１５ｃを大径孔２１ａに挿入し、その後、ローラ部１５を下方に引き下げて回転軸端部１５ｃを小径孔２１ｂに移動させてスナップ留めすることで誘引具本体１２に対して枢結回転する。
【００３２】
それぞれの円板部材１５ａは、略円形であるが、両者ともに同位相の回転位置の径が大きく突出した突起１５ｄを有する（図２参照）。具体的には、誘引紐２の繰り出し方向（図２の矢印Ｃ方向）に径が大きくなっていき、所定の位相で階段状に径が小さくなる形状を有する。この突起１５ｄの作用については後述する。
【００３３】
次にストッパ部１１について説明する。ストッパ部１１は誘引具本体１２の外周を入れ子状に覆う形状を有している。図８に示すようにストッパ部１１は、誘引具本体１２の板状部材１３の前面を覆う前面部１１ａと、前面部１１ａの幅方向両端が後方に折り曲げられて板状部材１３の縁部２０の外側面を覆う側部１１ｄと、側部１１ｄが折り曲げられて縁部２０の後方及び板状部材１３の後方の一部を覆う後部１１ｅと、後部１１ｅの内壁から前方に突出して上下方向に延びる突出部１１ｆとで構成されている。なお、前面部１１ａと側部１１ｄとの外表面には把持できるように凹凸形状の滑り止め１１ｃが設けられている。
【００３４】
ストッパ部１１は、誘引具本体１２上を上下方向に移動するとき前面部１１ａの内壁と後部１１ｅの内壁との間の隙間（図８（ｆ）の長さｗ２の位置）に縁部２０が入り、縁部２０の平坦部２０ａがガイドになってスライドする。まず縁部２０の平坦部２０ａがストッパ部１１の前面部の裏面１１ｂに接触し縁部２０の裏面側が接触していない状態から、ストッパ部１１を下方にスライドさせると平坦部２０ａがストッパ部１１の裏面１１ｂに当接しながら下方に案内し、ストッパ部１１の後部１１ｅが縁部２０の傾斜部２０ｂまで移動すると後部１１ｅの内壁が徐々に傾斜部２０ｂの頂端に近づいていく。そして、後部１１ｅの内壁が傾斜部２０ｂの頂端に接触し（ｗ１≒ｗ２）、ストッパ部１１の裏面１１ｂと後部１１ｅの内壁とのともに当接しながら下方に押し込んでいくことでストッパ部１１がしっかりと固定された状態でストッパ部１１の下端がローラ部１５の円板部材１５ａで停止する。
【００３５】
ストッパ部１１の下端が円板部材１５ａに到達すると図２に示すように上記円板部材１５ａの突起１５ｄがストッパ部１１の裏面１１ｂに当接し、円板部材１５ａの矢印Ｃ方向の回転を規制する。これにより誘引紐２の繰り出しができなくなる。逆に、図２の状態からストッパ部１１を上方に引き上げるとストッパ部１１の下端が突起１５ｄより上方に離間し、円板部材１５ａが矢印Ｃ方向に回転可能となる（誘引紐２を繰り出すことができる）。
【００３６】
したがって、本実施形態の誘引具１０では、農作業者がストッパ部１１を単に上下にスライドさせるだけでローラ部１５の繰り出し方向の回転を規制又は回転させることが可能となる。実際には、通常の長期栽培中は、ストッパ部１１を下げておいて誘引紐２が緩まないようにしっかり固定しておき、トマトの茎が延びた場合等の誘引調整するときにストッパ部１１を引き上げて誘引紐２を繰り出し、その終了時に誘引紐２が緩んでない状態でストッパ部１１を自重方向に下げて固定する作業を行う。このようにストッパ部１１を上下スライドさせるだけで通常の栽培時にはしっかり誘引され、蔓下し等の時にも容易に作業することができる。
【００３７】
なお、本実施形態の誘引具本体１２、ストッパ部１１、ローラ部１５は安価で及び弾性変形しやすい樹脂材料による一体成型で製造されることが想定される。また、この誘引具１０の場合、各部材が樹脂材料による射出成形できる点でも有利である。
【００３８】
以上、本考案における誘引具（上記実施形態における誘引具１０）及び誘引具本体部（上記実施形態における誘引具本体１２及びストッパ部１１）についての実施形態およびその概念及び周辺技術について説明してきたが本考案はこれに限定されるものではなく特許請求の範囲および明細書等に記載の精神や教示を逸脱しない範囲で他の変形例、改良例が得られることが当業者は理解できるであろう。
【符号の説明】
【００３９】
１…ワイヤ
２…誘引紐
１０…誘引具
１１…ストッパ部
１１ａ…前面部
１１ｂ…前面部の裏面
１１ｃ…滑り止め
１１ｄ…側部
１１ｅ…後部
１１ｆ…突出部
１２…誘引具本体
１３…板状部材
１３ａ…開口
１４…フック部
１４ａ…筒状部材
１４ｂ…端部
１５…ローラ部
１５ａ…円板部材
１５ｂ…回転軸
１５ｃ…回転軸端部
１５ｄ…突起
１６…脚部
１６ａ…脚部下端
１７…隙間
１８…中空空間
２０…縁部
２０ａ…平坦部
２０ｂ…傾斜部
２１…貫通孔
２１ａ…大径孔
２１ｂ…小径孔
２１ｃ…狭隘部
【図１】
0003214642.tif 000003
【図２】
0003214642.tif 000004
【図３】
0003214642.tif 000005
【図４】
0003214642.tif 000006
【図５】
0003214642.tif 000007
【図６】
0003214642.tif 000008
【図７】
0003214642.tif 000009
【図８】
0003214642.tif 000010
【図９】
0003214642.tif 000011
【手続補正書】
【提出日】平成29年11月21日(2017.11.21)
【手続補正１】
【補正対象書類名】実用新案登録請求の範囲
【補正対象項目名】全文
【補正方法】変更
【補正の内容】
【実用新案登録請求の範囲】
【請求項１】
長段栽培の蔓性植物の茎を、その成長に合わせて誘引紐により誘引するための誘引具であって、
前記蔓性植物の栽培列の上方で栽培列に沿って架設されたワイヤに着脱自在に吊り下げられる誘引具本体と、
該誘引具本体の下端で誘引具本体に対して枢結して回転することで誘引紐を巻き上げ・繰り出し可能なローラ部と、
前記誘引具本体に対して上下方向にスライド可能に装着されるストッパ部とを備え、
前記ローラ部には、その回転軸方向両端部にそれぞれ略円板状の回転部材を備え、該回転部材は、径方向に長い突出部を有し、
前記ストッパ部が前記誘引具本体に対して下方にスライドすると前記突出部が前記ストッパ部に当接して前記ローラ部の繰り出し方向の回転を規制し、前記ストッパ部が前記誘引具本体に対して上方にスライドすると前記ストッパ部が前記突出部より上方に移動して前記ローラ部の繰り出し方向の回転を規制を解除する構成を有する、誘引具。
【請求項２】
前記誘引具本体の下端は、幅側縁部それぞれの両側から下方に延びる脚部を備え、
該脚部の下端には、前記ローラ部の回転軸の端部を幅方向に挿入可能な貫通孔を有し、該貫通孔は、前記ローラ部の回転軸が枢結されて該ローラ部を回転させる小径孔と、その上方で小径孔の径より大きい幅の大径孔とが連続した一体の開口を形成する、請求項１に記載の誘引具。
【請求項３】
前記誘引具本体及びストッパ部とは樹脂材料で成形され、
前記貫通孔は、前記ローラ部の回転軸の端部を大径孔に挿入した状態で下方に押圧すると該端部が小径部にスナップ留めされて該小径部と枢結する、請求項２に記載の誘引具。
【請求項４】
前記誘引具本体は、フック部から下方に延びる板状部材と、該板状部材の両端部で上下方向にわたって前後方向に起立する板状の縁部とを備え、該縁部と前記脚部とは連続して一体に形成され、
前記ストッパ部は、前記誘引具本体の縁部に対して上下方向にスライドするように前記誘引具本体を入れ子状に覆う構造を有する、請求項２に記載の誘引具。
【請求項５】
前記誘引具本体の前記縁部は、前記ストッパ部を下方にスライドさせると該ストッパ部の内壁と当接するまで互いの隙間距離が漸近して小さくなる形状を有する、請求項４に記載の誘引具。
【請求項６】
長段栽培の蔓性植物の茎を、その成長に合わせて誘引紐により誘引するための誘引具本体部であって、
前記蔓性植物の栽培列の上方で栽培列に沿って架設されたワイヤに着脱自在に吊り下げられる誘引具本体と、
前記誘引具本体に対して上下方向にスライド可能に装着されるストッパ部とを備え、
回転軸方向両端部にそれぞれ略円板状の回転部材を備え、該回転部材は、径方向に長い突出部を有したローラ部が、前記誘引具本体の下端に枢結された場合に、前記ストッパ部が前記誘引具本体に対して下方にスライドするとローラ部の突出部が前記ストッパ部に当接して前記ローラ部の繰り出し方向の回転を規制し、前記ストッパ部が前記誘引具本体に対して上方にスライドすると前記ストッパ部がローラ部の突出部より上方に移動してローラ部の繰り出し方向の回転を規制を解除する、誘引具本体部。